(57)【特許請求の範囲】
【請求項１】
畳まれた傘を収容するように構成されるとともに、それ自体を手荷物品へと着脱可能に固定するための取付手段が設けられ、撥水多孔性布地によって内側から閉じられた開口を有しているホルスター状の穴あき支持部材を含んでいる、傘携行具。
【請求項２】
前記穴あき支持部材が、実質的に円筒形の筒として設けられている、請求項１に記載の傘携行具。
【請求項３】
前記穴あき支持部材が、スリーブの形態の撥水多孔性布地で裏打ちされている、請求項１または２に記載の傘携行具。
【請求項４】
前記穴あき支持部材が、合成プラスチック材料から作られている、請求項１から３のいずれか一項に記載の傘携行具。
【請求項５】
前記穴あき支持部材が、金属から作られている、請求項１、２、または３に記載の傘携行具。
【請求項６】
前記取付手段が、一緒に使用することになる前記手荷物品の手持ち用ハンドルまたはストラップと係合するように構成されている、請求項１から５のいずれか一項に記載の傘携行具。
【請求項７】
前記取付手段が、取付用クリップを含まれている、請求項１から６のいずれか一項に記載の傘携行具。
【請求項８】
前記取付手段が、前記手荷物品と係合するように弾性的に調節できる一対のフックを含んでいる、請求項１から７のいずれか一項に記載の傘携行具。
【請求項９】
前記穴あき支持部材が、開放メッシュまたは格子として形成されている、請求項１から８のいずれか一項に記載の傘携行具。
【請求項１０】
前記穴あき支持部材が可撓性であって、その全体的な断面が、一緒に使用されることになる傘の断面に対して制限的であるため、傘が挿入されたときに前記支持部材がわずかに弾性的に変形して、傘を所定の位置に保持すべく作用するようになっている、請求項１から９のいずれか一項に記載の傘携行具。
【請求項１１】
前記穴あき支持部材の断面が、わずかに楕円形である、請求項１０に記載の傘携行具。
【請求項１２】
前記穴あき支持部材が、開口を設けるべく長さ方向に沿って分割され、かつ異なる寸法の傘を収容するため、前記支持部材の断面の直径を調節するための手段を含んでいる、請求項１から９のいずれか一項に記載の傘携行具。
【請求項１３】
前記支持部材の断面の直径を調節するための手段が、前記支持部材を構成している材料の固有の弾性によってもたらされている、請求項１１に記載の傘携行具。
【請求項１４】
前記調節された支持部材を所定の位置に保持するための保持手段を含んでいる、請求項１３に記載の傘携行具。
【発明の詳細な説明】
【技術分野】
【０００１】
本発明は、例えば書類かばん、ハンドバッグ、ノートパソコン用バッグ、およびリュックサックなどの手荷物品に取付けることができる傘カバーに関するものである。
【背景技術】
【０００２】
例えば書類かばんおよびハンドバッグへと取付けされている傘携行具が、すでに知られており、通常は、かばんそのものの構成に使用されている材料と同種の材料からなるスリーブの形態で、提供されている。その意図は、スリーブが丸められた折り畳み傘を支え、所定の位置に保持できる点にある。この形式の傘携行具の欠点は、傘が傘携行具の内部で濡れた状態のままになりがちである点、および使用されていないとき、すなわち傘を携行していないときに、傘携行具がかばん上の見栄えが悪いアイテムである点にある。
【発明の開示】
【発明が解決しようとする課題】
【０００３】
本発明は、傘の乾燥プロセスを改善するだけでなく、不要な場合にかばんから取り外すことができ、他の手荷物アイテムへと移し替えることができる傘携行具を提供することを目的とする。
【課題を解決するための手段】
【０００４】
本発明によれば、畳まれた傘を収容するように構成されているとともに、それ自体を手荷物品へと着脱可能に固定するための取付手段を備える傘携行具が、撥水多孔性布地によって内側から閉じられた開口を有しているホルスター（ｈｏｌｓｔｅｒ）状の穴あき支持部材を含んでいる。
【０００５】
したがって、濡れたまま畳まれた傘が携行具内に配置されたとき、撥水多孔性布地によって閉じられている開口を通じて乾燥が可能である。
【０００６】
好ましくは、穴あき支持部材は、撥水多孔性布地によって内側から閉じられた開口が側方に形成されている、実質的に円筒形の筒によって提供されている。
【０００７】
撥水布地は、円筒形の筒の内側のスリーブの形態であってよく、傘携行具への挿入または取り出しの途中で傘が引っ掛かったり、突き刺さったりする可能性が少なくなるとともに、穴あき支持部材による保護がスリーブに与えられ、スリーブが裂けたり破損したりする可能性が小さくなる。
【０００８】
さらにスリーブは、傘から水分を取り除き、開口を通じて蒸発できるようにする。この構成は、さらに、傘携行具が取付けられている手荷物品が濡れてしまう可能性を小さくする。
【０００９】
穴あき支持部材は、任意の好都合な材料で製作することができるが、好ましくは、合成プラスチック材料または金属から形成され、開放メッシュまたは格子として形成してもよい。
【００１０】
取付手段は、一緒に使用することになる手荷物品の手持ち用ハンドルまたはストラップと係合するように構成することができる。
【００１１】
穴あき支持部材は可撓性であってよく、開口を設けるべく長さ方向に沿って分割されていてもよく、さまざまな寸法の傘を収容するため、支持部材の断面の直径を調節するための手段を含んでいてもよい。
【００１２】
さらに、穴あき支持部材は可撓性であってよく、傘が挿入されたときに支持部材がわずかに弾性的に変形して、傘を所定の位置に保持すべく作用するよう、傘携行具の断面が、一緒に使用されることになる傘の断面に対して制限的であってよい。
【００１３】
本発明は、さまざまな形態で実施することが可能であるが、以下ではいくつかの実施の形態を、添付の図面を参照しつつ一例として説明する。
【発明を実施するための最良の形態】
【００１４】
図１に示されているとおり、手荷物品へと取付けるための本発明による着脱式傘携行具１は、例えばアルミニウムなどの軽金属材料または合成プラスチック材料から作られた、実質的に円筒形の筒２の形態であるホルスター状の穴あき支持部材を備えている。筒２は、撥水多孔性布地から作られたスリーブ３の形態である内張りを有している。４つの開口４が、筒に穴を設けており、内側においてスリーブ３で閉じられている。
【００１５】
筒２、および筒２の内張り３が一体となって、折り畳み傘の傘携行具を設けている。
【００１６】
筒２は、畳まれた傘を受け入れる限りにおいて、例えば円柱形、多角形、さらには正方形など、任意の適切な断面であってよい。
【００１７】
この傘携行具には、例えば合成プラスチック材料または皮革など、可撓性材料の輪を含んでいる取付手段５が設けられており、参照符号６で示された位置において支持部材２へと取付けられている。
【００１８】
図１においては、この傘携行具が、破線で示されハンドル８を有している書類かばん７に使用されて示されている。輪５は、ハンドル８に被せて配置できるような寸法とされており、書類かばん７の上面に掛けられている。
【００１９】
このようにして、傘携行具は、単にハンドル８の上方へと滑らせるだけで容易に書類かばん７から着脱でき、かつ撥水多孔性布地３によって閉じられた開口４によって、傘携行具内に配置された濡れた傘が乾燥できることが、分かるであろう。さらに傘携行具は、濡れた傘の大部分を使用者および手荷物品に触れないようにする。
【００２０】
この構成は、傘携行具を種々の手荷物品に対して、単に傘携行具を手荷物品のハンドルに被せて配置し、あるいはリュックサックの場合には肩ひもに被せて配置することによって、容易に取り外しおよび再取付を行なうことができるような構成である。必要であれば、輪５を容易に着脱できるよう、取付点６にクリップ（図示されていない）を設けてもよく、あるいは、部品のそれぞれにループとフックとからなる形式の布地（ベルクロ）を使用することによって、取付点６を設けてもよい。この構成は、ホルスターを例えばリュックサックに使用するとき、リュックサックの肩ひもを容易には解放できない場合に、ホルスターをリュックサックの肩ひもに容易に取付けることができるようにするために、特に有用である。
【００２１】
図２に示した代案となる構成においては、同様の部品を示すために同じ参照符号が使用されているが、この構成においては、円筒形の筒２が、より多くの開口１０を側面に備えて形成されており、したがって、実質的に格子フレームとなっている。筒２は、やはり撥水多孔性布地スリーブ３によって内側から閉じられている。
【００２２】
この構成は、代案として、一対の弾性ワイヤまたはプラスチック材料製フックを備える取付手段によって、どのようにして傘携行具を書類かばん７へと取付けることができるのかを示している。各フックは、リベットまたは他の手段１１によって筒２に固定され、書類かばんのハンドル８の下端と係合するための形状および構成とされたフック端１２を設けるべく形成されている。フック端１２は、フックを内側へと撓ませて書類かばんから取り外すことができ、かつ傘携行具を書類かばんに固定すべく図２に示した位置へと再び広がるように充分に弾性的であるアーム上１３に支持されている。
【００２３】
図３は、図１または図２に示したとおりに構成できるが、ハンドバッグ１６のハンドル１５への接続に合わせて構成された本発明による傘携行具を示している。このハンドバッグは、２つのハンドルを有しており、傘携行具を、その両方に取付けることができ、あるいは図３に示すように一方のみに取付けることができる。この構成においては、取付手段が、布地からなる一対の輪１７を備え、輪１７の端部１８には、それらを押し付けて一体化できるよう、ループとフックとからなる材料（ベルクロ）が設けられている。輪１７の端部１９は、縫製、リベット付け、または任意の他の好都合な手段によって、筒２へと固定されている。したがって、やはりここでも、傘携行具をハンドバッグから容易に取り外すことができ、必要であれば他の何らかの手荷物品へと移し替えることができる。
【００２４】
図３においては、折り畳み傘２０が、傘携行具内の所定の位置に破線で示されている。
【００２５】
図３に示すとおり、傘携行具の構成全般は、図１および２に示した実施の形態と同様であってよいが、図３はさらに、筒についての他の構成を示しており、そのような構成は、他の実施の形態においても使用することが可能である。この構成においては、筒２が、開放メッシュまたは格子２５を生成するべくワイヤまたはプラスチック材料によって形成され、この開放メッシュまたは格子２５は、撥水多孔性布地からなるスリーブ３によって裏打ちされている。
【００２６】
前記傘携行具の構成においては、筒２の断面が概ね円柱形、多角形、または正方形であったが、筒２は可撓性であるように構成でき、挿入された傘を所定の位置に保持するように、断面をわずかに楕円形とすることができ、あるいはわずかに制限的である他の何らかの形状とすることができ、そのようなわずかに楕円形断面の筒２が、さらに図３にも示されている。可撓性をもたらすため、筒を、最初にわずかに楕円形に形成されているプラスチック材料または金属から製作することができ、この形状が、その固有の弾性ゆえに傘を収容すべく変形可能である。この可撓性の筒２は、図１および２に示した構成においても使用可能である。
【００２７】
他の代案となる構成においては、図４に示されているとおり、穴あきの筒２は、すでに述べた方法のうちのいずれかによって製作され、可撓性であり、あるいは弾性的に変形可能であるが、開口２１を設けるべく長さ方向に沿って分割されている。これにより、筒の断面の直径を変化させる動きを可能にするため、材料の固有の弾性を使用することができる。筒を、最小限の直径をとるように形成でき、開口２１が、より大きい断面の直径をもたらすべく筒が弾性的に開くことができるようにし、閉じた位置への弾性的な付勢が、傘を把持すべく作用する。あるいは、筒２をより大きい直径に形成してもよく、筒２をより小さな断面積へと閉じてその位置に保持できるように、クリップまたは可撓性のある固定帯２２の形態である保持手段を設けることができる。
【００２８】
図４に示した構成は、さまざまな寸法の傘に使用することが可能である。
【００２９】
この調整可能な構成は、楕円形またはわずかに収縮性のある形状を使用しない場合に、図１、２または３に示した構成においても使用可能である。筒２は、図４においては示されていないが、やはり撥水多孔性布地からなるスリーブで裏打ちされている。取付手段（図示されていない）は、すでに述べた実施の形態のいずれかに記載のとおりであってよい。
【図面の簡単な説明】
【００３０】
【図１】書類かばんのハンドルに取付けられた、本発明による着脱式の傘携行具の図式的な等角投影図である。
【図２】他の構成についての同様な図である。
【図３】例えばハンドバッグのハンドルへの取り付けのための手段を備える、他の構成についての別の等角投影図である。
【図４】他の実施の形態の線図である。
【図１】
0004481307.tif 000002
【図２】
0004481307.tif 000003
【図３】
0004481307.tif 000004
【図４】
0004481307.tif 000005